(57)【特許請求の範囲】
【請求項１】
カードの裏面を添着するための後面板の少なくとも一側部に、後面板から前面に延びて後面板に対向し、前記カードの表面を添着するための前面板を設けたカードホルダであって、
前記前面板を前記後面板と平行をなすように配設し、前記前面板と対向する位置の後面板に透孔又は凹部を穿設し、
前記前面板の裏面に、カードの表面を支持するための半球状の支持突起を突設し、前記後面板の裏面に、カードホルダを運搬用容器の外側面に添設するための添着部材を突設するとともに、前記後面板の表面に、該表面の両側に側面板を突設し、
前記前面板と前記後面板との間にカードを挿入するとき、前記半球状の支持突起の頂部が前記後面板の透孔又は凹部によって形成される空間内に突出して設けられたカードホルダ。
【発明の詳細な説明】
【０００１】
【発明の属する技術分野】
この発明は、例えば、運搬用容器内に収容された収容物又はその収容物の配送先を示す文字、記号又はバーコードが表示されたカードを保持するためのカードホルダに関するものである。
【０００２】
【従来の技術】
従来より、この種のカードホルダとしては、例えば、図８（ａ）、（ｂ）に示されるようなものが知られている。すなわち、このカードホルダ７１は、ほぼ四角板状に形成された後面板７２と、その後面板７２の両側縁及び下端縁に沿って前方に突出した側面板７３及び底面板７４と、これら側面板７３及び底面板７４の前端部から後面板７２と平行に突出した複数の前面板７５とから構成されている。
【０００３】
前記後面板７２は、カードとほぼ同じ形状に形成されているうえ、その両側部、下端部及び左右一対の下部コーナ部には、それぞれ四角孔状の透孔７６が貫設されている。また、各前面板７５は四角板状に形成され、前記側面板７３又は底面板７４の前端部において後面板７２と僅かな間隔をおいて平行に設けられるとともに、前記透孔７６の前面位置に設けられている。
【０００４】
そして、図示しない四角板状のカードを、後面板７２の上方からカードホルダ７１内へとスライドさせて挿入し、後面板７２と前面板７５との隙間に配置することによって、カードをカードホルダ７１内に収容保持させることができる。さらに、このカードホルダ７１は、複数の前面板７５によりカードの端部がめくれ上がらないように構成されており、カードホルダ７１内からカードが容易に脱落することがない。
【０００５】
【発明が解決しようとする課題】
ところが、前記従来のカードホルダ７１では、前記後面板７２と前面板７５との間に、非常に僅かではあるが、カードの厚みよりも広い隙間が存在していることから、カードホルダ７１内でカードが上下左右に移動可能であった。このため、例えば、カード及びカードホルダ７１に激しい振動や衝撃が長時間に渡って加えられるような状況下で使用されたり、或いは強風が当たるような状況下で使用されたりした場合には、カードがカードホルダ７１内から脱落してしまうおそれがあった。
【０００６】
この発明は、上記のような従来技術に存在する問題点に着目してなされたものである。その目的とするところは、カードの脱落を効果的に防止することができるカードホルダを提供することにある。
【０００７】
【課題を解決するための手段】
上記の目的を達成するために、請求項１に記載の発明のカードホルダは、カードの裏面を添着するための後面板の少なくとも一側部に、後面板から前面に延びて後面板に対向し、前記カードの表面を添着するための前面板を設けたカードホルダであって、前記前面板を前記後面板と平行をなすように配設し、前記前面板と対向する位置の後面板に透孔又は凹部を穿設し、前記前面板の裏面に、カードの表面を支持するための半球状の支持突起を突設し、前記後面板の裏面に、カードホルダを運搬用容器の外側面に添設するための添着部材を突設するとともに、前記後面板の表面に、該表面の両側に側面板を突設し、前記前面板と前記後面板との間にカードを挿入するとき、前記半球状の支持突起の頂部が前記後面板の透孔又は凹部によって形成される空間内に突出して設けられたものである。
【００１０】
【発明の実施の形態】
以下、この発明のカードホルダを運搬用容器の外側面に添着して使用する場合についての実施の形態を、図面に基づいて詳細に説明する。
【００１１】
図１（ａ）、（ｂ）に示すように、カードホルダ１１は、ポリプロピレン等の合成樹脂により一体形成されている。このカードホルダ１１は、ほぼ四角板状に形成された後面板１２と、その後面板１２の両側縁及び下端縁に沿って前方に突出した側面板１３及び底面板１４と、これら側面板１３及び底面板１４の前端部から後面板１２と平行に突出した複数の前面板１５と、カードホルダ１１を運搬用容器の外側面に添設するための添着部材とから構成されている。
【００１２】
後面板１２は、カードとほぼ同じ形状に形成され、その裏面ほぼ中央部には、添着部材を構成し、台形板状に形成された左右一対の台形板２１が後方に突設されている。また、この後面板１２の裏面上端部には、添着部材を構成する上面板２２が後方に突設され、その上面板２２の上面には、添着部材を構成し、ほぼ円柱状に形成された左右一対の上部係合凸部２３が突設されている。一方、後面板１２の両側部、下端部及び左右一対の下部コーナ部には、それぞれ四角孔状の透孔２４が貫設されている。
【００１３】
各前面板１５は四角板状に形成され、前記側面板１３又は底面板１４の前端部において後面板１２と僅かな間隔をおいて平行に突設されるとともに、前記透孔２４の前部位置に設けられている。さらに、各前面板１５の端縁と、その前面板１５と対応する位置に設けられている透孔２４の端縁とは、前後に揃った位置又は前面板１５の端縁が透孔２４の端縁よりも内方に位置するように構成されている。一方、底面板１４のほぼ中央位置に設けられた前面板１５の裏面中央には、支持手段としての半球状の支持突起２５が突設されている。
【００１４】
図１（ｂ）に示すように、前記支持突起２５の頂部２５ａは、後面板１２の表面（前面）とほぼ同じ平面内に位置するように設けられている。また、各前面板１５の裏面上端部には、上方ほど僅かに拡がるテーパ形状に形成されたテーパ面１５ａが設けられ、カードホルダ１１内へのカードの挿入及び取り外しを滑らかに行うことができるようになっている。
【００１５】
図１（ａ）、（ｂ）に示すように、このカードホルダ１１の下端部には、添着部材を構成する長四角板状の下部前面板２６が、前記底面板１４の前端部から垂下されている。この下部前面板２６の下端部中央には、長四角孔状の透孔２６ａが貫設されるとともに、長四角板状の下面板２７が後方に突設されている。さらに、前記下面板２７の後端部中央には、側面ほぼ三角形状の係止突起２７ａが突設されている。一方、下部前面板２６の裏面には、円柱状に形成された左右一対の下部係合凸部２８が後方に突設されている。
【００１６】
図２に示すように、前記カードホルダ１１を添設するための運搬用容器３１は、合成樹脂により有底長四角箱状に一体形成された容器本体３２と、その容器本体３２の上部開口部を開閉可能に閉鎖する合成樹脂製の左右一対の蓋体３３とから構成されている。
【００１７】
容器本体３２は、長四角板状に形成された底壁３２ａと、その底壁３２ａの周縁から立設されるとともに、いずれも上方ほど僅かに拡がるテーパ形状に形成された各一対の長側壁３２ｂ及び短側壁３２ｃとから構成されている。この容器本体３２の上端部には、多少の凹凸形状を有する上部フランジ３４が設けられている。また、前記両長側壁３２ｂの上端部に位置する上部フランジ３４には、前記蓋体３３を回動可能に支持するためのヒンジ部３５が設けられている。一方、前記両短側壁３２ｃの外側面上端部中央位置には、運搬用容器３１を把持して運搬するための一対の把持部３６が設けられている。
【００１８】
図２及び図３に示すように、左右一対の蓋体３３はいずれも、ほぼ長四角板状に形成されるとともに、その一側部は前記容器本体３２のヒンジ部３５に蝶着され、そのヒンジ部３５を中心にして左右に開閉可能に回動されるように構成されている。これら各蓋体３３の両端部には、前記容器本体３２の上部フランジ３４と係合する断面ほぼ逆Ｕ字状の端部係合部４１が設けられている。
【００１９】
さらに、各蓋体３３の上面全体には、容器本体３２の底部を載置するための載置用凹部４２が凹設され、複数の運搬用容器３１を上下に積み重ねて載置することができるようになっている。また、これらの蓋体３３の下面には、補強リブ４３が縦横に突設され、蓋体３３の強度を高く保持している。
【００２０】
一方、各蓋体３３の他側部は、台形板状に突出した複数の突出部４４と、ほぼ台形孔状に切欠かれた複数の切欠き部４５とからなるほぼ鋸状に形成されている。前記各突出部４４の下面周縁部には係合リブ４４ａが垂下され、前記各切欠き部４５の基端側上面には、前記突出部４４の係合リブ４４ａと係合するための台形孔状の凹設部４６が凹設されている。また、前記各凹設部４６の上面中央部には、前記係合リブ４４ａと係合するためのほぼ台形枠状の係合枠部４６ａが突設されている。
【００２１】
そして、両蓋体３３を同時に内方に回動させて各突出部４４同士を互い違いに係合させた後、両蓋体３３両端部の端部係合部４１を容器本体３２の上部フランジ３４上に載置したとき、図３に示されるように、各係合リブ４４ａと、凹設部４６及び係合枠部４６ａとが係合される。このとき、両蓋体３３は、容器本体３２の上部開口部を閉鎖するとともに、両載置用凹部４２が長四角孔状の面一な凹設面を形成し、複数の運搬用容器３１を安定した状態で上下に積み重ねて載置することができるようになる。
【００２２】
一方、図２に示すように、容器本体３２の両短側壁３２ｃに設けられた各把持部３６の一側方位置には、ほぼ四角枠状に形成された添設部５１が突設され、前記カードホルダ１１を添設することができるように構成されている。この添設部５１の上端面には、左右一対の上部係合凹部５２が円孔状に貫設され、前記カードホルダ１１の上部係合凸部２３を係入させることができるようになっている。また、添設部５１の下端面には、左右一対の下部係合凹部５３が円孔状に貫設され、前記カードホルダ１１の下部係合凸部２８を係入させることができるようになっている。さらに、添設部５１の下端部中央位置には、係止凹部５４が長四角孔状に切欠き形成され、前記カードホルダ１１の係止突起２７ａを係合させてカードホルダ１１を容器本体３２に添着して固定することができるように構成されている。
【００２３】
上記カードホルダ１１の作用について以下に記載する。
このカードホルダ１１を製造する際には、図示しない射出成形用の金型が用いられる。この金型は、可動型としての上型と、固定型としての下型とから構成され、上下方向に型締め及び型開きすることができるようになっている。これら上型と下型との型割り面（ＰＬ面）には、カードホルダ１１の形状をなすキャビティが形成されている。
【００２４】
前記カードホルダ１１の各透孔２４及び前記支持突起２５を含む前面板１５の裏面は下型によって形成され、前記透孔２６ａ及び前記係止突起２７ａの前面は上型によって形成されている。この場合、各透孔２４と前面板１５、及び透孔２６ａと係止突起２７ａとは、それぞれ上下方向に重ならない位置に設けられていることから、上型と下型の上下方向への型締め及び型開きによって、各透孔２４，２６ａ、支持突起２５、前面板１５及び係止突起２７ａを同時に成形することができるようになっている。
【００２５】
そして、上型と下型とを型締めした状態で、キャビティ内に加熱溶融した合成樹脂を射出した後に冷却して型開きすることによって、目的とするカードホルダ１１が一体成形される。また、前記金型としては、例えば、可動型としての左型と、固定型としての右型とから構成され、左右方向に型締め及び型開きすることができるように構成されたものであってもよい。
【００２６】
一方、このカードホルダ１１を運搬用容器３１に添着する際には、まず、カードホルダ１１の各上部係合凸部２３を、容器本体３２添設部５１の上部係合凹部５２内に係入する。続いて、カードホルダ１１の各下部係合凸部２８を添設部５１の下部係合凹部５３内に挿入するとともに、係止突起２７ａを係止凹部５４に係合させる。
【００２７】
さて、図４（ａ）、（ｂ）に示されるように、このカードホルダ１１内に四角板状のカード６０を収容保持させる際には、カード６０の下端縁をカードホルダ１１の後面板１２の上方から下方へとスライドさせながら挿入した後、後面板１２と前面板１５との間にカード６０を係入保持させる。このとき、前記カード６０の下端部中央は、支持突起２５の表面（頂部２５ａ）に沿って滑らかに摺動されながら湾曲し、前記支持突起２５と対向する透孔２４内へと挿入される。そして、前記支持突起２５の頂部２５ａと透孔２４の端縁前端部との間で互いに逆方向に押圧されながら摺接保持される。
【００２８】
逆に、このカードホルダ１１内からカード６０を取り出す際には、カード６０を上方にスライドさせながら前面板１５と後面板１２との隙間から抜き取る。このとき、前記係入保持されているカード６０の下端部中央は、支持突起２５の頂部２５ａと透孔２４の端縁前端部との間で滑らかに摺動されながら上方へと容易に移動される。
【００２９】
一方、このカードホルダ１１は、カード６０の表面（前面）に占める前面板１５の面積が小さくなるように構成されており、図示しないがカード６０の表面に表示されている文字、数字、アルファベット、記号、バーコード等の表示物が占める面積を大きくすることができる。このため、それらの標示物が非常に認識されやすく、特にバーコードを読み取る際に用いられる図示しない読み取り機の操作を容易に行うことができる。
【００３０】
上記実施形態によって発揮される効果を以下に記載する。
・  このカードホルダ１１は、カード６０の裏面を添着するための後面板１２の側部に、後面板１２から前面に延びて後面板１２に対向し、カード６０の表面（前面）を添着するための複数の前面板１５を設けるとともに、１つの前面板１５の裏面に、カード６０の表面を支持するための支持手段としての支持突起２５を設けたものである。このため、前記支持突起２５がカード６０の前面を押圧して挟持することによって、カードホルダ１１内に保持されたカード６０の脱落を効果的に防止することができる。
【００３１】
・  支持突起２５の頂部２５ａを、後面板１２の表面（前面）とほぼ同じ平面内に位置するように設けることによって、カード６０を適切な押圧力により挟持することができることから、カードホルダ１１内に収容保持されたカード６０の脱落をより効果的に防止することができる。また、カード６０の折れ曲がりも効果的に抑制することができる。
【００３２】
・  支持突起２５が設けられた前面板１５と対向する位置の後面板１２に透孔２４を穿設することによって、カード６０下端部中央の収容空間を適切に設けることができることから、カード６０の脱着を容易かつ滑らかに行うことができる。さらに、支持突起２５が透孔２４と対応する位置に設けられていることから、可動型と固定型とからなる簡単な金型、又は可動型と固定型とスライドコアからなる比較的簡単な金型を用いて、支持突起２５をカードホルダ１１と一体成形することができる。このため、カードホルダ１１の製造コストを低減させることができる。
【００３３】
・  このカードホルダ１１は、各前面板１５と透孔２４とをそれぞれ前後に揃った位置に設けるとともに、各前面板１５の端縁と透孔２４の端縁とを、前後に揃った位置又は前面板１５の端縁が透孔２４の端縁よりも内方に位置するように構成されている。このため、カードホルダ１１を製造する際には、可動型と固定型とからなる簡単な金型で一体成形することができることから、金型の制作を容易に行うことができるうえ、カードホルダ１１の製造コストを低減させることができる。
【００３４】
なお、本実施形態は、次のように変更して具体化することも可能である。
・  図５（ａ）に示すように、後面板１２の高さをカード６０の高さよりも低く形成すること。或いは、左右いずれかの側面板１３及び前面板１５、又は両側面板１３及び前面板１５を省略するとともに、後面板１２の横幅をカード６０の横幅よりも小さく形成すること。或いは、後面板１２の高さ及び横幅をカード６０の大きさよりも小さく形成すること。
【００３５】
逆に、カードホルダ１１の大きさ（高さ及び横幅から選ばれる少なくとも一方）を、カード６０の大きさよりも大きく形成すること。
このように構成した場合、カードホルダ１１の大きさを好みの大きさにすることができる。
【００３６】
・  図５（ｂ）に示すように、後面板１２に四角孔状又は円孔状の透孔６１を貫設すること。このようにした場合には、カードホルダ１１の成形のために用いられる合成樹脂を節約することができる。また、カードホルダ１１をより軽量化することができる。
【００３７】
・  図６（ａ）に示すように、前面板１５の裏面中央部に、横方向に延びる支持手段としての突条６２を突設すること。さらに、前記突条６２の頂部６２ａを後面板１２の前面とほぼ同じ平面内に位置するように設けるのが好ましい。また、このとき、前記前面板１５の前面は凹設されていても構わない。このようにした場合でも、突条６２によってカード６０の脱落を防止することができる。
【００３８】
・  図６（ｂ）に示すように、前面板１５の下端部から中央部を後面板１２側に突出させた支持手段としての支持部６３を形成すること。さらに、前記支持部６３の裏面を、後面板１２の前面とほぼ同じ平面内に位置するように設けるのが好ましい。
【００３９】
或いは、前面板１５の下端縁を後面板１２の前面とほぼ同じ平面内に位置するように設けるとともに、その前面板１５の上端縁を側面板１３の前端部とほぼ同じ平面内に位置するように設け、前記前面板１５の下端部を支持手段とすること。なお、前記前面板１５は、その下端部から上端部にかけて斜め方向に直線的に傾斜して形成してもよく、下端部から上端部にかけて斜め方向に傾斜するとともに前方又は後方に湾曲するように形成してもよい。
【００４０】
このようにした場合でも、カード６０の脱落を防止することができる。
・  図６（ｃ）に示すように、支持手段としての支持突起２５をほぼ三角板状に形成するとともに、その支持突起２５の頂部２５ａの高さを前面板１５のほぼ中央位置に設けること。さらに、前記頂部２５ａを後面板１２の前面とほぼ同じ平面内に位置するように設けるのが好ましい。このようにした場合でも、支持突起２５によってカード６０の脱落を防止することができる。
【００４１】
・  図６（ｄ）に示すように、支持手段としての支持突起２５をほぼ三角板状に形成するとともに、その支持突起２５の頂部２５ａを前面板１５の下端部に位置するように設けること。さらに、前記頂部２５ａを後面板１２の前面とほぼ同じ平面内に位置するように設けるのが好ましい。このようにした場合でも、支持突起２５によってカード６０の脱落を防止することができる。
【００４２】
・  図７（ａ）に示すように、支持突起２５の対向位置に透孔２４を貫設する代わりに、その部分の後面板１２を後方側に凹設することによって、凹部としての収容凹部６４を設けること。さらに、前記収容凹部６４の上端部及び両側部を斜め前方に傾斜させた傾斜面６４ａを形成し、その傾斜面６４ａによって収容凹部６４と後面板１２とを滑らかに繋ぐように構成すること。
【００４３】
なお、前記収容凹部６４と傾斜面６４ａとのなす角度αを１５°以下に形成するのが好ましい。或いは、前記傾斜面６４ａを前方又は後方に湾曲する湾曲面としてもよい。また、支持突起２５の頂部２５ａを後面板１２の前面とほぼ同じ平面内に位置するように設けるのが好ましい。
【００４４】
このように構成した場合、カード６０の下端部中央を支持突起２５と収容凹部６４との間に容易に挿脱することができることから、カード６０の挿入及び取り外しを容易に行うことができる。また、前記角度αを１５°以下に形成した場合には、前記収容凹部６４及び支持突起２５を形成するためのキャビティが形成されたスライドコアを用いてカードホルダ１１を成形するとき、そのスライドコアを型抜きする際には無理抜きが可能となることから、カードホルダ１１を容易に一体成形することができる。
【００４５】
・  図７（ｂ）に示すように、支持突起２５の対向位置に透孔２４を貫設する代わりに、その部分の後面板１２を後方側に凹設することによって、凹部としての収容凹部６４を設けること。さらに、前記収容凹部６４の上端部及び両側部を斜め前方に傾斜させた傾斜面６４ａを形成し、その傾斜面６４ａによって収容凹部６４と後面板１２とを滑らかに繋ぐように構成すること。加えて、支持突起２５の頂部２５ａを後面板１２の前面と同じ平面内よりも後方、すなわち収容凹部６４によって形成された空間内に突出するように設けること。
【００４６】
このように構成した場合、カード６０の下端部中央を支持突起２５と収容凹部６４との間に容易に挿脱することができることから、カード６０の挿入及び取り外しを容易に行うことができる。さらに、支持突起２５の頂部２５ａが後面板１２の収容凹部６４によって形成された空間内に突出するように設けられていることから、カード６０の下端部中央をより強力に保持することができ、カード６０の紛失をより効果的に防止することができる。
【００４７】
・  図７（ｃ）に示すように、支持突起２５の頂部２５ａを後面板１２の透孔２４によって形成された空間内に突出するように設けること。このように構成した場合には、支持突起２５の頂部２５ａによって、カード６０の下端部中央をより強力に保持することができ、カード６０の紛失をより効果的に防止することができる。
【００４８】
・  図７（ｄ）に示すように、カードホルダ１１下端部中央に位置する前面板１５を省略し、その省略された前面板１５の対向位置の透孔２４を省略して後面板１２を形成するとともに、前記透孔２４の代わりに形成された後面板１２の前面に支持手段としての支持突起２５を突設すること。さらに、前記支持突起２５の両側方近接位置に、支持手段を構成する左右一対の前面板１５を設けるのが好ましい。
【００４９】
このように構成した場合でも、カード６０の両側部をカードホルダ１１の両側部に設けられた前面板１５によって後方に押圧することができるとともに、カード６０の下端部中央を前記支持突起２５によって前方に押圧することができることから、カード６０を確実に収容保持してカードホルダ１１からの脱落を効果的に防止することができる。さらに、前記支持突起２５の両側方近接位置に左右一対の前面板１５を設けた場合には、カード６０の下端部中央を前記前面板１５と支持突起２５との間に容易に挟持することができることから、カード６０の脱落をより効果的に防止することができる。
【００５０】
・  後面板１２の前面全体に、多数の滑り止めのための突起、突条又は凹部を設けること。さらに、前面板１５の裏面全体にも滑り止めのための突起、突条又は凹部を設けてもよい。このとき、カード６０がカードホルダ１１内から脱落するのをさらに効果的に防止することができる。
【００５１】
・  支持手段としての支持突起２５を、例えば、三角錐状、四角錐状、六角錘状、八角錘状等の多角錘状、円錐状、楕円錘状、三角錘台状、四角錐台状、六角錘台状、八角錘台状等の多角錘台状、円錐台状、楕円錘台状等の形状に形成すること。なお、前記の形状に形成された支持突起２５の頂部２５ａは、カード６０を傷めないように、丸みを帯びた形状に形成するのがより好ましい。
【００５２】
・  支持手段としての支持突起２５をゴム又はシリコーン樹脂からなる弾性部材により構成すること。このとき、支持突起２５によるカード６０に対する押圧力を自動的に調節することができることから、カード６０の脱落をより一層効果的に防止することができる。さらに、ゴム又はシリコーン樹脂は滑り止めの役割を果たすことができることから、カード６０の脱落をさらに効果的に防止することができる。
【００５３】
・  各前面板１５のテーパ面１５ａを省略すること。
・  前面板１５が設けられていない部分の側面板１３又は底面板１４を省略すること。
【００５４】
・  前面板１５の形状を、例えば、三角板状又は半円状に形成すること。或いは、カードホルダ１１の両側縁全体及び下端縁全体に長四角板状の前面板１５を突設すること。
【００５５】
・  カードホルダ１１の側部又は下部コーナ部に設けられた前面板１５を省略すること。
・  透孔２４を省略すること。このようにした場合でも、スライドコアを用いて各前面板１５を形成することにより、カードホルダ１１を容易に一体成形することができる。
【００５６】
・  支持手段としての支持突起２５の頂部２５ａを、後面板１２の前面よりも前方位置に設けること。このようにした場合でも、カード６０の脱落を防止することができるうえ、様々な厚みを有するカード６０を容易に保持することができる。
【００５７】
・  支持手段としての支持突起２５を、カードホルダ１１の側部又は下部コーナ部に設けられた前面板１５の裏面に突設すること。或いは、カードホルダ１１の上端部又は上部コーナ部に前面板１５を設けるとともに、その前面板１５の裏面に支持手段としての支持突起２５を突設すること。このようにした場合でも、カード６０の脱落を防止することができる。
【００５８】
・  １つの前面板１５の裏面に支持手段としての複数個の支持突起２５を設けること、或いは複数の前面板１５の裏面に、それぞれ１つ又はそれ以上の支持突起２５を設けること。このとき、カード６０の脱落をより効果的に防止することができる。
【００５９】
・  このカードホルダ１１を運搬用容器３１以外の用途、例えばフォークリフトのフォークを挿入するためのフォーク挿入孔を有するほぼ四角板状のパレットの外側面に添着して使用すること。このようにしたときには、カードホルダ１１の用途を拡大することができる。
【００６０】
さらに、前記実施形態より把握できる技術的思想について以下に記載する。
【００６１】
・  前記後面板をカードとほぼ同じ大きさに形成したカードホルダ。このように構成した場合、カードの折れ曲がりを抑制することができるとともに、カードの脱落をより効果的に防止することができる。
【００６２】
・  前記後面板の下端縁に沿って底面板を設けたカードホルダ。このように構成した場合、カードの脱落をより一層効果的に防止することができる。
【００６３】
・  前記後面板の両側縁に沿って一対の側面板を設けたカードホルダ。このように構成した場合、カードの脱落をさらに効果的に防止することができる。
【００６４】
・  可動型と固定型とからなる金型を用いて、合成樹脂を射出成形法により一体成形したことを特徴とするカードホルダ。このように構成した場合、カードホルダを容易に製造することができる。
【００６５】
・  前記後面板の裏面及び側部から選ばれる少なくとも一方に添着部材を設け、運搬用容器又はパレットの外側面に添着することができるように構成したカードホルダ。このように構成した場合、運搬用容器又はパレットの外側面に添着して使用することができる。
【００６６】
・  カードの裏面を添着するための後面板の側部に、後面板から前面に延びて後面板に対向し、前記カードの表面を添着するための前面板を設けたカードホルダであって、前記後面板の表面に、カードの裏面を押圧支持するための支持手段を設けるとともに、前記支持手段が設けられた部位の両側方位置又は上下位置に一対の前面板を設けたカードホルダ。このように構成した場合、カードの脱落を効果的に防止することができる。
【００６７】
【発明の効果】
以上詳述したように、この発明によれば、次のような効果を奏する。
請求項１に記載の発明のカードホルダによれば、カードの脱落を効果的に防止することができる。また、カードの脱着を容易に行うことができる。さらに、カードをより強力に保持することができる。
【図面の簡単な説明】
【図１】  （ａ）は実施形態のカードホルダを示す正面図、（ｂ）は図１（ａ）の１ｂ−１ｂ線から見た側断面図。
【図２】  実施形態の運搬用容器を示す斜視図。
【図３】  実施形態の運搬用容器を示す平面図。
【図４】  （ａ）は実施形態のカードホルダを使用している状態を示す平面図、（ｂ）は図４（ａ）の４ｂ−４ｂ線から見た側断面図。
【図５】  （ａ）及び（ｂ）はいずれも、実施形態以外のカードホルダを示す平面図。
【図６】  （ａ）から（ｄ）はいずれも、実施形態以外のカードホルダを示す部分側断面図。
【図７】  （ａ）から（ｄ）はいずれも、実施形態以外のカードホルダを示す部分側断面図。
【図８】  （ａ）は従来のカードホルダを示す正面図、（ｂ）は図８（ａ）の８ｂ−８ｂ線から見た側断面図。
【符号の説明】
１１…カードホルダ、１２…後面板、１５…前面板、２４…透孔、２５…支持手段としての支持突起、２５ａ…支持突起の頂部、６０…カード、６２…支持手段としての突条、６３…支持手段としての支持部、６４…凹部としての収容凹部。
【図１】
0004708523.tif 000002
【図２】
0004708523.tif 000003
【図３】
0004708523.tif 000004
【図４】
0004708523.tif 000005
【図５】
0004708523.tif 000006
【図６】
0004708523.tif 000007
【図７】
0004708523.tif 000008
【図８】
0004708523.tif 000009